(57)【要約】【課題】遠隔操作部と操作片規制部を介助者が片手で、一連の動作として操作し易く、且つ、操作片規制部が介助者によって誤って操作され難いベビーカーを提供すること。【解決手段】ハンドル１６０の略中央領域に、折り畳み／使用可能状態にする遠隔操作部１７０があり、遠隔操作部は、操作部本体１７０と、折り畳みボタン１７２を有し、折り畳みボタンは、ハンドルの近接方向等に移動可能となり、折り畳みボタンが近接方向に移動されることでベビーカーが折り畳み可能状態となり、折り畳みボタンには、折り畳みボタンの移動を規制するロックボタン１７３が形成され、これは折り畳みボタンに対し近接方向又は離間方向に移動可能で、前記近接方向に移動させると、折り畳みボタンが移動可能となり、ロックボタンは、折り畳みボタンの移動方向に交差し、且つハンドルと略平行な方向に移動するように配置されているベビーカー１００。【選択図】図３
2007076538.tif 000002
【特許請求の範囲】
【請求項１】
移動に際し回動する車輪部と、
乳幼児が乗車する座席部と、
前記座席部を保持すると共に、前記車輪部に連結されたフレーム部と、
乳幼児の介助者が保持するハンドル部と、を有するベビーカーであって、
前記車輪部は、
進行方向に沿って配置されている前輪部と後輪部を有し、
前記座席部は、
乳幼児の臀部側を保持する座面部と、
乳幼児の背中側を保持する背もたれ部と、を有し、
前記ハンドル部は、前記フレーム部と接続されると共に、前記フレーム部の上端側を連結する構成となっており、
少なくとも、前記前輪部と前記後輪部とが相互に近接方向に移動することで、ベビーカーが折り畳まれる構成となり、
前記ハンドル部の略中央領域に、ベビーカーを折り畳み及び／または使用可能状態にするための遠隔操作部が形成され、
前記遠隔操作部は、
遠隔操作部本体と、
使用者が直接操作する遠隔操作片を有し、
前記遠隔操作片は、前記ハンドル部に対し近接方向又は離間方向に移動可能となっており、前記遠隔操作片が前記近接方向に移動されることでベビーカーが折り畳み及び／または使用可能状態となり、
前記遠隔操作片には、前記遠隔操作片の前記移動可能の状態を規制するための操作片規制部が形成され、
前記操作片規制部は、前記遠隔操作片に対し近接方向又は離間方向に移動可能となり、前記操作片規制部を前記近接方向に移動させることで、前記遠隔操作片が移動可能状態となり、
前記遠隔操作規制部が前記遠隔操作片の前記移動方向に交差する方向で、且つ前記ハンドル部の略中央領域に沿った方向に移動するように構成されていることを特徴とするベビーカー。
【請求項２】
前記遠隔操作片は、前記ハンドル部に対して離間方向に付勢されて突出するよう配置されており、
前記操作片規制部は、前記遠隔操作片に対して離間方向に付勢されて突出するよう構成されている事を特徴とする請求項１に記載のベビーカー。
【請求項３】
前記遠隔操作部本体は、前記ハンドル部から突出して形成され、
前記遠隔操作片は、前記遠隔操作部本体上に形成され、
前記操作片規制部は前記遠隔操作片の基部側に形成され、
前記操作片規制部が突出した前記遠隔部本体に当接することで前記遠隔操作片の移動を規制する構成となっていることを特徴とする請求項１又は請求項２に記載のベビーカー。
【請求項４】
前記フレーム部の前記ハンドル部側であるハンドル側フレーム部には、このハンドル側フレーム部に沿って移動可能であって、ハンドル側凸部が形成されたハンドル側移動部材が配置され、
前記遠隔操作部と前記ハンドル側移動部材とは、連結部材で接続され、前記遠隔操作片の移動に応じて、前記ハンドル側移動部材も移動する構成となり、
ベビーカーの折り畳み動作に応じて、その位置を変位させる変位板の一端部は、少なくとも前記ハンドル側フレーム部と前記座席部とに回動可能に連結され、
前記変位板の他端部は、前記フレーム部のうち前記後輪部を支持する後輪フレーム部に回動可能に連結され、
前記変位板には、前記ハンドル側凸部またはハンドル側凸部の移動に連動して移動する移動凸部と係合する変位板変位被規制部が形成されており、
前記変位板変位被規制部は、ベビーカーが折り畳み状態で前記変位板の変位を規制する折り畳み状態用被規制部と、ベビーカーが使用可能状態で前記変位板の変位を規制する使用状態用被規制部とを有していることを特徴とする請求項１乃至請求項３のいずれかに記載のベビーカー。
【発明の詳細な説明】
【技術分野】
【０００１】
本発明は、例えば乳幼児等が乗車し、保護者等の介助者が押すことで乳幼児等を移動させることができるベビーカーに関するものである。
【背景技術】
【０００２】
従来より、乳幼児等を乗車させるベビーカーには、保護者等が持ち運びし易いように、折り畳み機構が備えられている。また、この折り畳み機構は、例えばハンドル部の操作ボタンと連結され、利用者がこの操作ボタンを押すことで折り畳み機構が動作する構成となっている。
このようにハンドルに操作ボタンを設けると、操作し易い反面、誤って操作させるおそれもある。
そこで、操作ボタンがむやみに動作しないように、操作ボタンのロック機構が備えられているベビーカーがある（例えば、特許文献１乃至特許文献５）。
【特許文献１】実公平３−５７５７５号公報（図２等）
【特許文献２】実用新案登録第２５５６４９１号公報（図３等）
【特許文献３】実用新案登録第２５２２１３６号公報（図２等）
【特許文献４】実開平０１−０５７９６１号公報（図２等）
【特許文献５】特公平０６−０７１８８７号公報（図３５等）
【発明の開示】
【発明が解決しようとする課題】
【０００３】
実際にベビーカーを使用する保護者等は、幼児等や荷物等を持ちながら、ロック機構を動作させる場合が多く、ロック機構の解除操作と折り畳み機構の操作ボタンの操作が、片手で一連の動作として行い易いことが望まれている。
しかしながら、従来のロック機構は、誤って解除されない構成となっているため、ロック機構の解除操作と折り畳み機構の操作ボタンの操作を使用者が片手で一連の動作として行うことは困難な構成となっているものが多い。
また、このような需要に応えて、特許文献２等のようにロック機構の解除操作ボタンと折り畳み機構の操作ボタンを近接して配置し、双方のボタンを操作し易く配置しているものもある。
しかし、この場合、折り畳み操作ボタンや解除操作ボタンがハンドルを握る方向と同じこともあって、誤ってロック機構の解除ボタンを押してしまうおそれがある。しかも、折り畳み操作ボタンの厚みが薄い方向（折り畳みボタンの短片側）に沿って移動可能なように解除操作ボタンが形成されているため、解除操作ボタンの移動距離が小さくなり、誤って解除操作ボタンを動作させ易い等の安全面の問題があった。
【０００４】
そこで、本発明は、折り畳み機構の折り畳み操作部等である遠隔操作部と、この折り畳み操作部のロック機構の解除操作部等である操作片規制部を、介助者が片手で、一連の動作として操作し易く、且つ、前記操作片規制部が介助者によって誤って操作され難いベビーカーを提供することを目的とする。
【課題を解決するための手段】
【０００５】
前記課題は、請求項１の発明によれば、移動に際し回動する車輪部と、乳幼児が乗車する座席部と、前記座席部を保持すると共に、前記車輪部に連結されたフレーム部と、乳幼児の介助者が保持するハンドル部と、を有するベビーカーであって、前記車輪部は、進行方向に沿って配置されている前輪部と後輪部を有し、前記座席部は、乳幼児の臀部側を保持する座面部と、乳幼児の背中側を保持する背もたれ部と、を有し、前記ハンドル部は、前記フレーム部と接続されると共に、前記フレーム部の上端側を連結する構成となっており、少なくとも、前記前輪部と前記後輪部とが相互に近接方向に移動することで、ベビーカーが折り畳まれる構成となり、前記ハンドル部の略中央領域に、ベビーカーを折り畳み及び／または使用可能状態にするための遠隔操作部が形成され、前記遠隔操作部は、遠隔操作部本体と、使用者が直接操作する遠隔操作片を有し、前記遠隔操作片は、前記ハンドル部に対し近接方向又は離間方向に移動可能となっており、前記遠隔操作片が前記近接方向に移動されることでベビーカーが折り畳み及び／または使用可能状態となり、前記遠隔操作片には、前記遠隔操作片の前記移動可能の状態を規制するための操作片規制部が形成され、前記操作片規制部は、前記遠隔操作片に対し近接方向又は離間方向に移動可能となり、前記操作片規制部を前記近接方向に移動させることで、前記遠隔操作片が移動可能状態となり、前記遠隔操作規制部が前記遠隔操作片の前記移動方向に交差する方向で、且つ前記ハンドル部の略中央領域に沿った方向に移動するように構成されていることを特徴とするベビーカーにより達成される。
【０００６】
前記構成によれば、遠隔操作規制部が遠隔操作片の移動方向に交差する方向で、且つハンドル部の略中央領域に沿った方向に移動するように構成されている。
すなわち、使用者がハンドル部を手で握り、遠隔操作片をハンドル部の近接方向に向かって押しつけた場合でも、操作片規制部の移動方向は、遠隔操作片と交差する方向で、しかもハンドル部の略中央領域に沿った方向であるハンドル部の略平行方向とされているため、遠隔操作片と方向が異なる。また、この方向は、使用者がハンドル部を握る方向とも異なっているため操作片規制部は移動せず、遠隔操作片の移動は規制され、ベビーカーが折り畳み可能な状態となることはない。
また、通常、遠隔操作片の長辺側は、ハンドル部に沿って配置されているため、ハンドル部と略平行方向に移動するよう遠隔操作片が配置されると、遠隔操作片の移動距離を大きくとることができ、僅かな移動で遠隔操作部が動作することがないので、確実に誤操作を防ぐことができる。
【０００７】
つまり、遠隔操作部を動作させるためには、異なる二方向の２つの動作が必要とされ、使用者が誤って走行中等に遠隔操作片を握っても、ベビーカーが意図に反して折り畳まれるという事故の発生を未然に防ぐことができる。
また、操作片規制部は、遠隔操作片に形成され、遠隔操作片に対し近接方向又は離間方向に移動可能となり、操作片規制部を前記近接方向に移動させることで、前記遠隔操作片が移動可能状態となっている。
このため、使用者が例えば、人差し指や親指等で操作片規制部を遠隔操作片に向かって近接方向に移動させつつ、同じ手の他の指で遠隔操作片をハンドル部に向かって近接方向に移動させることで、使用者は片手で、且つ一連の動作として円滑にベビーカーを折り畳み可能状態とすることができる。
このように、本請求項の発明では、使用者が誤って遠隔操作片を操作して、ベビーカーが折り畳まれることが未然に防止でできると共に、ベビーカーを折り畳む際には、片手で且つ、一連の動作で、操作片規制部と遠隔操作片を操作することで折り畳むことができ、使いやすいベビーカーとなる。
【０００８】
好ましくは、請求項２の発明によれば、請求項１の構成において、前記遠隔操作片は、前記ハンドル部に対して離間方向に付勢されて突出するよう配置されており、前記操作片規制部は、前記遠隔操作片に対して離間方向に付勢されて突出するよう構成されていることを特徴とするベビーカーである。
【０００９】
前記構成によれば、遠隔操作片は、ハンドル部から突出するように離間位置に付勢されており、操作片規制部は、遠隔操作片から突出するよう離間位置に付勢されている。
すなわち、このようにハンドル部から遠隔操作片が、遠隔操作片から操作片規制部が、それぞれ離間方向である突出位置に常に位置するよう付勢されているため、使用者は遠隔操作片を押しながら操作片規制部を押すように操作すれば、折り畳み状態等に変位させることができる
しかも、遠隔操作片と操作片規制部はそれぞれ突出方向に付勢されるため、変位させた後に自動的に遠隔操作片と操作片規制部はロックされた状態に復元するので、ロック操作を忘れてしまうことに伴って誤って折り畳まれる等の危険を防ぐことができる。
【００１０】
好ましくは、請求項３の発明によれば、請求項１又は請求項２の構成において、前記遠隔操作部本体は、前記ハンドル部から突出して形成され、前記遠隔操作片は、前記遠隔操作部本体上に形成され、前記操作片規制部は前記遠隔操作片の基部側に形成され、前記操作片規制部が突出した前記遠隔部本体に当接することで前記遠隔操作片の移動を規制する構成となっていることを特徴とするベビーカーである。
【００１１】
前記構成によれば、操作片規制部がハンドル部側の遠隔部本体に当接することで遠隔操作片の移動を規制する構成となっているので、使用者が誤って遠隔操作片を操作し、ベビーカーが折り畳み可能な状態となるのをより確実に防ぐことができる。
【００１２】
好ましくは、請求項４の発明によれば、請求項１乃至請求項３のいずれかの構成において、前記フレーム部の前記ハンドル部側であるハンドル側フレーム部には、このハンドル側フレーム部に沿って移動可能であって、ハンドル側凸部が形成されたハンドル側移動部材が配置され、前記遠隔操作部と前記ハンドル側移動部材とは、連結部材で接続され、前記遠隔操作片の移動に応じて、前記ハンドル側移動部材も移動する構成となり、ベビーカーの折り畳み動作に応じて、その位置を変位させる変位板の一端部は、少なくとも前記ハンドル側フレーム部と前記座席部とに回動可能に連結され、前記変位板の他端部は、前記フレーム部のうち前記後輪部を支持する後輪フレーム部に回動可能に連結され、前記変位板には、ハンドル側凸部またはハンドル側凸部の移動に連動して移動する移動凸部と係合する変位板変位被規制部が形成されており、変位板変位被規制部は、ベビーカーが折り畳み状態で前記変位板の変位を規制する折り畳み状態用被規制部と、ベビーカーが使用可能状態で前記変位板の変位を規制する使用状態用被規制部とを有していることを特徴とするベビーカーである。
【００１３】
前記構成によれば、使用者が遠隔操作片を移動させると、連結部材を介して、ハンドル側移動部材が例えば、上方に移動し、この移動によりハンドル側凸部も、上方に移動する。
このハンドル側凸部が移動することに伴って、ハンドル側凸部またはハンドル側凸部の移動に連動して移動する移動凸部と、変位板変位被規制部の折り畳み状態用被規制部や使用状態用被規制部との係合が解除され、変位板は、ベビーカーの折り畳み動作等に応じて、その動きが規制されない状態となる。
したがって、使用者は、この状態でベビーカーを折り畳み又は開くことができる。
逆に、遠隔操作片を移動させないと、ハンドル側凸部またはハンドル側凸部の移動に連動して移動する移動凸部と、変位板変位被規制部の折り畳み状態用被規制部や使用状態用被規制部とが係合し、変位板は動きが規制され、ベビーカーの折り畳み動作に応じた変位板の変位ができない。このため、ベビーカーは折り畳み動作をすることができないことになる。
このように、本請求項の発明では、ベビーカーの折り畳み動作等を確実且つ容易に行うことができる。
【発明の効果】
【００１４】
本発明は、折り畳み機構の折り畳み操作部等である遠隔操作部と、この折り畳み操作部のロック機構の解除操作部等である操作片規制部を、使用者が片手で、一連の動作として操作し易く、且つ、前記操作片規制部が使用者によって誤って操作され難いベビーカーを提供できるという利点がある。
【発明を実施するための最良の形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、本発明の実施の形態に係るベビーカー１００を示す概略斜視図である。
図１に示すように、ベビーカー１００は、移動に際し回動する車輪部であり、ベビーカーの進行方向に沿って配置されている前輪部１１０ａ、１１０ｂと後輪部１２０ａ、１２０ｂを有している。
また、ベビーカー１００は、乳幼児を乗車させるための座席部、すなわち、乳幼児の臀部側を保持する座面部１３０と、乳幼児の背中側を保持する背もたれ部１４０とを有している。
また、図１に示すようにベビーカー１００には、座面部１３０や背もたれ部１４０を保持すると共に、前輪部１１０ａ、１１０ｂや後輪部１２０ａ、１２０ｂに連結されたフレーム部であるフレーム１５０を有している。フレーム１５０の詳細については後述する。
【００１７】
また、ベビーカー１００には、乳幼児の介護者が保持するハンドル部であるハンドル１６０を有している。ハンドル１６０は、図１に示すように、フレーム部１５０のうち、背もたれ部１４０の高さ方向に沿って上方に延びるよう配置される部分と接続されると共に、フレーム１５０の上端側を連結する構成となっている。
【００１８】
また、ベビーカー１００は図１の前輪部１１０ａ、１１０ｂと後輪部１２０ａ、１２０ｂとが相互に近接方向に移動し、背もたれ部１４０と座面部１３０とが近接することで、後述するようにフレーム１５０が変形し、折り畳まれる構成となっている。
また、このハンドル１６０の略中央領域には、図１に示すようにベビーカー１００を折り畳み可能状態にするための遠隔操作部１７０が形成されている。
【００１９】
図２は、図１の遠隔操作部１７０を示す概略拡大図である。図２に示すように、遠隔操作部１７０は、遠隔操作部本体である操作部本体１７１と、使用者がベビーカー１００を折り畳む際に直接、操作する遠隔操作片である折り畳みボタン１７２を有している。遠隔操作部１７０の内部機構については後述する。
【００２０】
折り畳みボタン１７２は、図１のハンドル１６０から下方に突出して位置するように配置され、ハンドル１６０に対し近接方向又は離間方向に移動可能となっており、後述するように離間方向に位置して突出するよう付勢されている。すなわち、図２の矢印Ｙ方向に移動可能となっている。
そして、折り畳みボタン１７２がハンドル１６０への近接方向、すなわち、図２の上方向に移動させられることでベビーカー１００は折り畳み可能または使用可能状態となるように構成されている。
したがって、使用者はハンドル１６０を持つ手で遠隔操作部１７０の折り畳みボタン１７２を握るようにして、折り畳みボタン１７２を操作本体１７１内に押し込むように移動させることで、ベビーカー１００を容易に折り畳み可能状態に変更することができる。
【００２１】
また、折り畳みボタン１７２には、図２に示すように、折り畳みボタン１７２のハンドル１６０に対する近接又は離間方向への移動方向である矢印Ｙ方向となる上側への移動を規制するための操作片規制部であるロックボタン１７３が形成されている。
また、ロックボタン１７３は、折り畳みボタン１７２に対し近接方向又は離間方向に移動可能な構成となっている。すなわち、図２に示すようにロックボタン１７３は、折り畳みボタン１７２の移動方向（矢印Ｙ方向）に交差する方向で、且つ、ハンドル１６０の略中央領域に沿った方向、すなわち、ハンドル１６０の略中央領域と略平行方向となる矢印Ｘ方向に移動可能な構成となっている。
そして、ロックボタン１７３を前記折り畳みボタン１７２に対する近接方向、すなわち、図２の矢印Ｘ方向に沿った左側方向に移動させ、ロックボタン１７３を折り畳みボタン１７２内に押し込むことで、初めて折り畳みボタン１７２は、図２の矢印Ｙ方向に移動可能な状態となる構成となっている。
【００２２】
以下、折り畳みボタン１７２とロックボタン１７３との関係を図３を用いて詳細に説明する。
図３は、図２の操作部本体１７１の内部構造を示す概略図であり、図３のＢは、図２のロックボタン１７３の構造を示す概略図である。
Ｂで示すように、ロックボタン１７３は、スプリング等の弾性部材で折り畳みボタン１７２から突出する方向に付勢されている。
したがって、使用者がこのスプリング１７４の付勢力に抗してロックボタン１７４を折り畳みボタン１７２内に押し込むことが可能な構成となっている。
【００２３】
図２に示すように、ロックボタン１７３と折り畳みボタン１７２は、これらの移動方向である矢印Ｘ方向と矢印Ｙ方向が相互に交差、例えば直交するように配置されている。
特に、遠隔操作部１７０の操作部本体１７１は、図１に示すように、ハンドル１６０から背もたれ部１４０側に突出して形成されている。そして、図３に示すように、折り畳みボタン１７２は、操作部本体１７１に形成され、ロックボタン１７３は、折り畳みボタン１７２上であって、その基部側に形成されている。
そして、ロックボタン１７３が図３に示すように、操作部本体１７１の突出した壁面に当接することで、折り畳みボタン１７２の移動を規制する構成となっている。
具体的には、突出位置に付勢されて配置されている折り畳みボタン１７２の図３の矢印Ｙ方向のうち、上方向の動きが規制されることになる。
【００２４】
したがって、使用者がハンドル１６０を手で握り、折り畳みボタン１７２をハンドル１６０への近接方向（図２の矢印Ｙ方向上側）に向かって押しつけた場合でも、ロックボタン１７３は、移動する方向が握る方向とは異なるため使用者の手によって、図３のＸ方向の左側に移動させられることがない。このため、折り畳みボタン１７２の図３のＹ方向の上側への移動が規制され、ベビーカー１００が折り畳み可能な状態となることはない。
つまり、使用者が誤って折り畳みボタン１７２を握っても、ベビーカー１００が折り畳まれるという事故の発生を未然に防ぐことができるようになっている。
【００２５】
また、図３に示すようにロックボタン１７３は、折り畳みボタン１７２の移動方向である図３の矢印Ｙ方向と直交する矢印Ｘ方向に移動可能な構成となっていると共に、ロックボタン１７３は、折り畳みボタン１７２内に押し込むことが可能な構成となっている。
このため、使用者が例えば親指で図３のロックボタン１７３を折り畳みボタン１７２に向かって近接方向（図のＸ方向の左側）に押し込みつつ、他の指で折り畳みボタン１７２をハンドル１６０に向かって近接方向（図のＹ方向の上側）に移動させることができる。
すなわち、使用者は片手で、且つ一連の動作として円滑にベビーカー１００を折り畳み可能状態とすることができる。
【００２６】
このことを図４を用いて説明する。図４は使用者が遠隔操作部１７０を操作する状態を示す概略説明図である。
図４（ａ）は、上述のように、使用者が人差し指でロックボタン１７３を押しながら、他の指で折り畳みボタン１７２を押した状態を示す図であり、このように、人差し指をロックボタン１７３側に移動させてから、人差し指の横側でロックボタン１７３を押しながら、他の中指等を使用して折り畳みボタン１７２を押すことで、使用者は片手で、ロックボタン１７３と折り畳みボタン１７２を円滑に操作することができる。
一方、図４（ｂ）は、使用者が親指でロックボタン１７３を押しながら、他の指で折り畳みボタン１７２を押した状態を示す図である。この場合も図４（ａ）と同様に、使用者が親指を移動させてからロックボタン１７３を押すことで、片手で、ロックボタン１７３と折り畳みボタン１７２を円滑に操作することができる。
【００２７】
このように、本実施の形態では、使用者が誤って折り畳みボタン１７２を操作して、ベビーカー１００を折り畳んでしまうことを未然に防止することができると共に、ベビーカー１００を折り畳む際や使用状態とする際には、使用者が片手で且つ一連の動作で、ロックボタン１７３と折り畳みボタン１７２を円滑に操作でき、使い易いベビーカー１００となっている。
【００２８】
また、ロックボタン１７３は、図３に示すように折り畳みボタン１７２から突出する方向に付勢されているため、折り畳みボタン１７２が、図３の上側から下側に移動するとき、すなわち、折り畳みボタン１７２を突出状態に戻すとき、ロックボタン１７３がスプリング１７４の付勢力によって突出し、また、折り畳みボタン１７２も同様にハンドル１６０から離間する方向に付勢されて、その付勢力によってハンドル１６０から突出する。
したがって、使用者がロックボタン１７３をロック状態に配置する操作をする必要がなく、スプリング１７４の付勢力でロック状態に自動的に配置され、同様に折り畳みボタン１７２もハンドルから突出した状態に自動的に配置されるので、使用者がロックをし忘れ、誤って折り畳まれてしまうことを未然に防止することができる。
【００２９】
また、図３に示すように、ベビーカー１００の進行方向に対して、折り畳みボタン１７２の側壁面側（Ｘ方向側）に突出するようロックボタン１７３は配置されており、折り畳みボタン１７２は、Ｘ方向がＹ方向より長く形成されている。このため、折り畳みボタン１７２にロックボタン１７３を配置する場合、ロックボタン１７３をＸ方向に沿って配置した方が、ロックボタン１７３をより長く配置することができる。
ロックボタン１７３は、その移動のストロークを長くすればするほど、使用者が誤操作をし難くなる。誤操作を防止するために、ロックボタン１７３のストロークを長くするには、折り畳みボタン１７２の長さに余裕がある側壁面側に配置するのが好ましい。
本実施の形態では、図３に示すように、ロックボタン１７３は、その移動がＸ方向に沿って行われる構成となっているため、ロックボタン１７３の移動のストロークを適切な長さとすることができ、これにより、誤動作が発生し難い構成となっている。
【００３０】
（ベビーカー１００の折り畳み構造等について）
図１に示すように、ベビーカー１００は、ハンドル１６０側に配置されるハンドル側フレーム部、すなわち、ハンドル側フレーム１６１を有している。
また、ベビーカー１００は、背もたれ部１４０の両側縁部に沿って配置される背もたれ側フレーム１６２を有している。
また、ベビーカー１００には、後輪部１２０ａ、１２０ｂを支持するための後輪フレーム部である後輪フレーム１６３と、前輪部１１０ａ、１１０ｂを支持するための前輪フレーム１６４を有している。
フレーム１５０は、これらハンドル側フレーム１６１、背もたれ側フレーム１６２、後輪フレーム１６３及び前輪フレーム１６４を含む構成となっている。
【００３１】
図５は、図１のベビーカー１００の概略側面図であり、図６はベビーカー１００を折り畳んだ状態を示す概略側面図である。
図７は、ハンドル１６０、ハンドル側フレーム１６１、背もたれ側フレーム１６２等の構造を示す概略図であって、ハンドル側フレーム１６１の一方を示している。
図１及び図７に示すように、ハンドル側フレーム１６１には、このハンドル側フレーム１６１に沿って上下方向に移動可能（図７の矢印方向）なハンドル側移動部材１６１ａが配置されている。
このハンドル側移動部材１６１ａはパイプ状のハンドル１６０内で図示しないスプリング等の弾性体によって下方向に付勢されており、遠隔操作部１７０と連結部材である例えば、ワイヤ１７５で接続され、折り畳みボタン１７２の図３の矢印Ｙ方向の移動に応じてハンドル側移動部材１６１ａが移動する構成となっている。
具体的には、図３に示すように、操作部本体１７１内には「く」の字状の２つの揺動部材１７６ａ、１７６ｂは端部が離間する方向に付勢されて配置され、使用者が折り畳みボタン１７２をＹ方向に沿って上側に移動させると、図３の矢印Ｒに示すように、これら揺動部材１７６ａ、１７６ｂの一端部が相互に近接するように動く構成となっている。
このように近接するように動く揺動部材１７６ａ、１７６ｂの一端部には図３に示すようにワイヤ１７５ａ、１７５ｂが接続されているため、ワイヤ１７５ａ、１７５ｂは、相互に近づくように移動することになる。
なお、操作部本体１７１内に付勢手段を配置するのではなく、上述したようにワイヤ１７５ａ等で連結されたハンドル側移動部材１６１ａ等の付勢力に連動して折り畳みボタン１７２を付勢するよう構成してもよい。
【００３２】
一方、ワイヤ１７５ａ等の他端部は、図７のハンドル側移動部材１６１ａと接続されている。このため、上述のようにワイヤ１７５ａ、１７５ｂが相互に近づくように動くと、ハンドル側移動部材１６１ａは図７において上方に移動する構成となっている。
なお、折り畳みボタン１７２を押す力を緩めると、揺動部材１７６やハンドル側移動部材１６１ａの付勢力に従って、折り畳みボタン１７２はハンドル１６０から離間する方向に自動的に戻ることとなる。
【００３３】
また、図１及び図７に示すように、背もたれ側フレーム１６２には、この背もたれ側フレーム１６２に沿って移動可能な背もたれ側移動部材１６２ａが配置されており、背もたれ側移動部材１６２ａも下方向に位置するよう付勢されている。
また、図７に示すように、ハンドル側移動部材１６１ａと背もたれ側移動部材１６２ａには、相互に係合可能なハンドル側凸部１６１ａａと背もたれ側凸部１６２ａａ（ハンドル側凸部の移動に連動して移動する移動凸部の一例）がそれぞれ配置されている。
すなわち、上述のように使用者が折り畳みボタン１７２を操作すると、ワイヤ１７５ａ等によってハンドル側移動部材１６１ａが上方に移動する。すると、このハンドル側移動部材１６１ａに配置されているハンドル側凸部１６１ａａも上方に移動する。
すると、このハンドル側凸部１６１ａａと係合している背もたれ側凸部１６２ａａと共に背もたれ側移動部材１６２ａも上方に移動する構成となっている。
【００３４】
また、図５に示すように、ベビーカー１００は変位板１８０を有している。変位板１８０は、図５及び図６に示すように、ベビーカー１００の使用状態（図５）又は折り畳み状態（図６）によって、その配置位置が変位する構成となっている。
すなわち変位板１８０は上方に向かって拡幅された略直線状の板状部材とされており、その一端部である例えば、図５の上端部には、上部回動部１８１が形成されている。この上部回動部１８１は、図７に示すようにハンドル側フレーム１６１及び背もたれ側フレーム１６２、そして座面部１３０（図１参照）と回動可能に接続されている。
また、変位板１８０の他端部である例えば、下部回動部１８２は図５及び図７に示すように、後輪フレーム１６３に回動可能に接続されている。
【００３５】
図８は図７のハンドル側フレーム１６１、背もたれ側フレーム１６２、後輪フレーム１６３及び変位板１８０等の構造を示す概略斜視図であって、折り畳みボタン１７２を押して折り畳み状態に変位可能な状態を示している。
図７及び図８に示すように、背もたれ側移動部材１６２ａの背もたれ側凸部１６２ａａの下方には、変位板１８０と係合するための変位板変位規制部である例えば、変位板用凸部１６２ａｂが形成されている。
また、変位板１８０には、変位板用凸部１６２ａｂに対応する変位板変位被規制部であり、ベビーカー１００が使用状態で変位板１８０の変位を規制する使用状態用被規制部である例えば、使用状態用凹部１８３が形成されている。
すなわち、変位板１８０が図５に示すようにベビーカー１００の使用状態に配置されている場合は、その位置で変位板１８０が固定されて動かないよう規制する必要がある。
そこで、図５の位置に変位板１８０が固定されるように、変位板１８０に使用状態用凹部１８３が形成されている。
したがって、折り畳みボタン１７２の力を抜くことに伴い突出位置に戻ることによって、図８の変位板用凸部１６２ａｂを、この使用状態用凹部１８３と係合させることで、ベビーカー１００は使用状態に固定されることになる。
【００３６】
一方、変位板１８０が図６の位置に示すように配置されると、ベビーカー１００は、折り畳み状態となる。すなわち、ベビーカー１００が使用状態から折り畳み状態に変わるときは、図８の矢印で示すように、変位板１８０が下部回動部１８２を中心に回動し、変位板１８０の上部回動部１８２が、図６に示すように下部回動部１８２より下方に位置することになる。
ベビーカー１００が折り畳まれたときは、図６の状態で固定される必要がある。そこで、この状態における図８の背もたれ側フレーム１６２の変位板用凸部１６２ａｂと、それに対応する変位板１８０には、ベビーカー１００が折り畳み状態で変位板１８０の変位を規制する折り畳み状態用被規制部である例えば、折り畳み状態用凹部１８４が形成されている。
つまり、変位板変位規制部である変位板用凸部１６２ａｂに対向する面の変位板１８０は、略円形とされており、周縁部で所定の間隔をおいて、変位板変位被規制部となる使用状態用凹部１８３と折り畳み状態用凹部１８４とが形成されている。
したがって、変位板１８０が図６の位置に配置されたときに、図８の変位板用凸部１６２ａｂを折り畳み状態用凹部１８４に係合させることで、ベビーカー１００を折り畳み状態に固定することができる。
なお、背もたれ側フレーム１６２を設けずに、背もたれ側移動部材１６２ａの変位板用凸部１６２ａｂではなく、ハンドル側フレーム１６１を変位板１８０の内側（図８における背もたれ側フレーム１６２側）に配置し、変位板変位規制部としてハンドル側凸部１６１ａａを外方に向かうよう突出させて、変位板変位被規制部である使用状態用凹部１８３と折り畳み状態用凹部１８４に係合させるよう構成してもよい。
【００３７】
以下、本実施の形態のベビーカー１００を使用状態から折り畳み状態に変更させる動作等について説明する。
まず、ベビーカー１００が図５の状態のときは、図８の変位板用凸部１８３が、変位板１８０の使用状態用凹部１８３と係合されているため、ベビーカー１００は折り畳まれるおそれなく使用することができる。
次に、ベビーカー１００を折り畳むときは、使用者は図１のロックボタン１７３と折り畳みボタン１７２を操作する。すると、ワイヤ１７５ａ等によって図８のハンドル側移動部材１６１ａが上昇し、これと係合されている背もたれ側移動部材１６２ａも上昇する。
すると、変位板１８０と背もたれ側移動部材１６２とが図８に示すように離間し、変位板１８０の固定が外れ、図５及び図８の下部回動部１８２を中心に回動可能となる。
この状態で、使用者がベビーカー１００を折り畳む方向にフレーム１５０を動かすと、変位板１８０は回動し、図６に示すように、ベビーカー１００は折り畳まれる。
この状態で、使用者が折り畳みボタン１７２を離すと、折り畳みボタン１７２は、付勢力によって図３のＹ方向の下側に向かって移動し、ワイヤ１７５ａ等が図７の下方向に移動する。すると、図８のハンドル側移動部材１６１ａ、背もたれ側移動部材１６２ａも付勢力によって共に下側に移動し、変位板用凸部１６２ａｂが下がる。
このとき、変位板用凸部１６２ａｂに対応して位置するのが、図８の変位板１８０の折り畳み状態用凹部１８４であるため、変位板用凸部１６２ａｂは、この折り畳み状態用凹部１８４と係合し、ベビーカー１００は折り畳まれた状態で固定され、不必要にベビーカー１００の折り畳み状態が解除されることはない。
【００３８】
以上のように、本実施の形態では、ベビーカー１００の折り畳み動作や使用状態へ動作を確実且つ容易に行うことができる。
また、ベビーカー１００の形態の固定を、変位板１８０に形成された使用状態用凹部１８３又は折り畳み用凹部１８４と背もたれ側移動部材１６２ａの変位板用凸部１６２ａｂとの係合等によって行う。このため、ベビーカー１００の折り畳み状態又は使用状態の切替を容易且つ確実に行うことができる。
【００３９】
本発明は、上述の実施の形態に限定されない。折り畳み状態において各前輪部１１０と各後輪部１２０とを近接させた後に、前輪部１１０ａ，１１０ｂとが近接するよう折り畳む、所謂三つ折り方式や四つ折り方式等の他の折り畳み構造とされていてもよい。また、このベビーカーは低月齢専用品や高月齢専用品であってもよく、座席部が乗用車用のチャイルドシートとされてフレーム１５０から着脱できるものであってもよく、前輪部及び後輪部が三輪とされた三輪形態や、子供等を介助するための介助車とされていてもよい。
【図面の簡単な説明】
【００４０】
【図１】本発明の実施の形態に係るベビーカーを示す概略斜視図である。
【図２】図１の遠隔操作部を示す概略拡大図である。
【図３】図２の操作部本体の内部構造を示す概略図である。
【図４】使用者が遠隔操作部を操作する状態を示す概略説明図である。
【図５】図１のベビーカーの概略側面図である。
【図６】ベビーカーを折り畳んだ状態を示す概略側面図である。
【図７】ハンドル、ハンドル側フレーム、背もたれ側フレーム等の構造を示す概略図である。
【図８】図７のハンドル側フレーム、背もたれ側フレーム、後輪フレーム及び変位板等の構造を示す概略斜視図である。
【符号の説明】
【００４１】
１００・・・ベビーカー、１１０ａ、１１０ｂ・・・前輪部、１２０ａ、１２０ｂ・・・後輪部、座面部・・・１３０、１４０・・・背もたれ部、１５０・・・フレーム、１６０・・・ハンドル、１６１・・・ハンドル側フレーム、１６１ａ・・・ハンドル側移動部材、１６１ａａ・・・ハンドル側凸部、１６２・・・背もたれ側フレーム、１６２ａ・・・背もたれ側移動部材、１６２ａａ・・・背もたれ側凸部、１６２ａｂ・・・変位板用凸部、１６３・・・後輪フレーム、１６４・・・前輪フレーム、１８０・・・変位板、１８１・・・上部回動部、１８２・・・下部回動部、１８３・・・使用状態用凹部、１８４・・・折り畳み状態用凹部
【図１】
2007076538.tif 000003
【図２】
2007076538.tif 000004
【図３】
2007076538.tif 000005
【図４】
2007076538.tif 000006
【図５】
2007076538.tif 000007
【図６】
2007076538.tif 000008
【図７】
2007076538.tif 000009
【図８】
2007076538.tif 000010